(57)【要約】      （修正有）【課題】脚力や腕力の衰えた使用者のトレーニングまたは様々な機能回復を目的とした運動器具用ペダルを提供する。【解決手段】運動器具用ペダルは、回転運動を伴う運動器具に用いるペダルであって、ペダルクランクの先端に略垂直方向に連結したペダル軸と、ペダル軸に回転自在に支持されるペダル本体４２と、ペダル本体４２に支持体４３により連結され、ペダル軸の下方に配置されたハンドル部４４とを備える。【選択図】図２
0003193454.tif 000002
【実用新案登録請求の範囲】
【請求項１】
回転運動を伴う運動器具に用いるペダルであって、
ペダルクランクの先端に略垂直方向に連結したペダル軸と、
前記ペダル軸に回転自在に支持されるペダル本体と、
前記ペダル本体に支持体により連結され、前記ペダル軸の下方に配置されたハンドル部とを備えたことを特徴とする運動器具用ペダル。
【請求項２】
前記ハンドル部の軸心は、前記ペダル軸の軸心に対して傾斜しており、前記ハンドル部の軸心の前記ペダル軸の軸心に対する傾斜は、前記ペダル軸と前記ペダルクランクとの連結部から遠ざかるほど前記ペダル軸の軸心に対して遠ざかるように配置されていることを特徴とする請求項１に記載の運動器具用ペダル。
【請求項３】
前記ハンドル部の外径が前記ペダル軸と前記ペダルクランクとの連結部から遠ざかるほど拡大することを特徴とする請求項１〜２の何れかに記載の運動器具用ペダル。
【請求項４】
前記ペダル本体に足を固定するための固定手段を設けたことを特徴とする請求項１〜３の何れかに記載の運動器具用ペダル。
【考案の詳細な説明】
【技術分野】
【０００１】
この考案は、脚力や腕力の衰えた使用者のトレーニングまたは様々な機能回復を目的とした運動器具用ペダルに関する。
【背景技術】
【０００２】
従来の運動機として、脳卒中や整形外科手術後の患者など、脚力の衰えた人々の運動機能を回復させる自転車型の運動機がよく知られ、種々の構造が多数提案されている。また、従来の運動機は、自転車型の運動機であるため腰掛け方式であり、大型かつ高価になり、家庭などで手軽に採用できないという問題点があった。さらに、自転車型の運動機は、脚力を増強することを目的とするものであるので腕力のトレーニングができないという問題点もあった。そこで自転車型の運動機からハンドル及び腰掛けを除くことにより、一般家庭内の室内の狭い場所で手軽に使用でき、脚力及び腕力をトレーニングできる小型の運動器具が提案されている（例えば、特許文献１参照）。
【先行技術文献】
【特許文献】
【０００３】
【特許文献１】実用新案登録第３０８６３３６号公報
【考案の概要】
【考案が解決しようとする課題】
【０００４】
特許文献１の運動器具では、使用者が腕力を増強する場合、自転車用のペダルを手で握り、ペダルを動かすことで、使用者の腕部の筋肉に負荷を与えている。しかしながら、自転車用のペダルを手で握る場合、手を広げた状態でペダルを握る必要があり、腕力とともに握力も衰えた使用者がペダルを握ることは困難であった。
【０００５】
また、使用者が脚力を増強する場合には、ペダルの踏み面に足を載せるためペダル軸を中心にペダル本体を回転させ、足裏とペダルの踏み面を一致させる必要があった。しかしながら、脚力が衰えた使用者がペダル本体を回転させることは困難であった。
【０００６】
そこで、この考案は、脚力や腕力の衰えた使用者のトレーニングまたは様々な機能回復を目的とした運動器具に用いられるペダルを提供することを目的とする。
【課題を解決するための手段】
【０００７】
上記課題を解決するために、本考案の一形態に係る運動器具用ペダルは、回転運動を伴う運動器具に用いるペダルであって、ペダルクランクの先端に略垂直方向に連結したペダル軸と、前記ペダル軸に回転自在に支持されるペダル本体と、前記ペダル本体に支持体により連結され、前記ペダル軸の下方に配置されたハンドル部とを備える。
【０００８】
この構成によると、ペダル本体にハンドル部が支持体により連結されている。このため、使用者が腕力を増強する場合に、ハンドル部を把持することにより、容易にペダルクランクを回転することができる。また、ハンドル部は、ペダル軸の下方に配置されているのでハンドル部の自重によりペダル本体がペダル軸を中心として回転し、ペダル本体の踏み面が略水平方向に位置する。このため、使用者が脚力を増強するため、椅子に腰かけ、ペダル本体の踏み面に足を置く場合に、ペダル本体を回転する必要がない。
【０００９】
また、前記ハンドル部の軸心は、前記ペダル軸の軸心に対して傾斜しており、前記ハンドル部の軸心の前記ペダル軸の軸心に対する傾斜は、前記ペダル軸と前記ペダルクランクとの連結部から遠ざかるほど前記ペダル軸の軸心に対して遠ざかるように配置してもよい。
【００１０】
このような構成によると、使用者がハンドル部を握るために手をペダル本体とハンドル部の間隙に手を挿入する場合に、最初に挿入する部分の間隙が大きくなるので容易に挿入することができる。また、ハンドル部を握る際に手の甲が水平方向になるように腕を内転する必要がなくなるので、腕に疾患のある使用者にとって容易にハンドル部を把持することができる。
【００１１】
また、前記ハンドル部の外径が前記ペダル軸と前記ペダルクランクとの連結部から遠ざかるほど拡大してもよい。
【００１２】
このような構成により、ハンドル部の小指側のフィット感が増し、かつ握力の弱い使用者が使用しても手がハンドル部から抜けることがない。
【００１３】
また、前記ペダル本体の踏み面に足を固定するための固定手段を設けてもよい。
このような構成により、脚力が衰えた使用者が、足でペダル本体の踏み面に荷重をかける際に、足を踏み面から踏み外すのを防止することができる。
【考案の効果】
【００１４】
本考案によると、脚力や腕力の衰えた対象者のトレーニングまたは様々な機能回復を目的とした運動器具に用いられるペダルを提供することができる。
【図面の簡単な説明】
【００１５】
【図１】本考案の実施形態における運動器具の構成を示す外観斜視図である。
【図２】本考案の実施形態における運動器具用ペダルの一例を示す外観斜視図である。
【図３】運動器具用ペダルを上方から見たときの平面図である。
【図４】運動器具用ペダルを示す正面図である。
【図５】運動器具用ペダルを示す側面図である。
【図６】変形例１に係る運動器具用ペダルを示す正面図である。
【図７】変形例２に係る運動器具用ペダルを示す正面図である。
【図８】変形例３に係る運動器具用ペダルを示す外観斜視図である。
【考案を実施するための形態】
【００１６】
以下、図面を参照しながら、本考案の実施の形態に係る運動器具用ペダルについて説明する。
【００１７】
図１は、本考案の実施形態における運動器具１の構成を示す外観斜視図である。
【００１８】
運動器具１は、回転操作を伴う運動器具であり、回転操作による負荷により、使用者の筋力の増強や維持を図るものである。同図に示すように、運動器具１は、基台１０、本体２０、ペダルクランク３０及びペダル部４０を備えている。
基台１０は、本体２０全体を載せることができ、本体２０を床上や机上に安定して設置できる大きさを有する平板である。
【００１９】
本体２０は、カバー部２１と、カバー部２１に覆われた内部には、基台１０に固定された回転負荷装置（図示せず）を有している。回転負荷装置には、例えば、摩擦抵抗を利用した機械式のものと、渦電流を利用した電気式のものがある。渦電流式の回転負荷装置は、電磁石と回転する金属板とからなり、磁界中で金属板が回転した時に生じる渦電流と磁界による電気制動を利用したものである。電磁式のものは非接触であるので、騒音が少なく長寿命であり、この種の装置の主流になっている。
【００２０】
本体２０の左右側面からは、クランク軸２２が突出しており、ペダルクランク３０の一方の端部と連結されている。ペダルクランク３０の他方の端部には、使用者が回転操作を行うためのペダル部４０が設けられている。
ペダル部４０が設けられたクランク軸２２の回転力がプーリーとベルトを介して、ペダル部４０に負荷を与えるための回転負荷装置に伝達される。
【００２１】
次に、図２〜図５を用いて本実施の形態の運動器具用ペダルについて説明する。図２は、本考案の実施形態における運動器具用ペダルの一例を示す外観斜視図である。図３は、運動器具用ペダルを上方から見たときの平面図である。図４は、運動器具用ペダルを示す正面図である。図５は、運動器具用ペダルを示す側面図である。
【００２２】
図２〜図５において、ペダル部４０は、ペダルクランク３０に略垂直方向に連結するペダル軸４１と、ペダル軸４１に回転自在に支持されるペダル本体４２と、ペダル本体４２の下部に取り付けられた支持体４３と、支持体４３に連結したハンドル部４４から構成されている。
ペダル軸４１は、ペダル本体４２のほぼ中央部に設けられているのでペダル本体４２は、ペダル軸４１を中心として回転することができる。
【００２３】
ペダル本体４２は、略直方体の形状を有し、ペダル軸４１の軸方向に貫通する開口部４５が設けられている。また、ペダル本体４２の上面は、使用者が足を載せる踏み面であり、この踏み面には、複数の凸部が形成されており、摩擦係数が大きくなるので使用者の靴底が滑らないようになっている。使用者が、素足で使用する場合には、ペダル本体４２の踏み面を被覆して使用する。
【００２４】
このペダル本体４２は、例えば、硬質性樹脂から形成されており、硬質性樹脂としては、エチレン、プロピレン、塩化ビニル、スチレン、アミド等の重合体の熱可塑性樹脂や、メラミン樹脂、フェノール樹脂、アクリル樹脂、ＰＥＴ等の熱硬化性樹脂等などが挙げられる。また、強度化および軽量化に優れた炭素繊維を強化材として用いた炭素繊維強化樹脂などでもよい。
【００２５】
支持体４３は、ペダル本体４２の下面のペダル軸４１とペダルクランク３０との連結部側の位置に設けられており、支持体４３とハンドル部４４とは、ハンドル部４４の軸心４４ａがペダル軸４１の軸心４１ａと略平行になるように連結されている。これにより、ペダル本体４２及びハンドル部４４は、ペダル軸４１を中心として一体として回転することができる。
【００２６】
ハンドル部４４は、断面が円筒形状の金属パイプからなるハンドル本体と、グリップとからなり、グリップはハンドル本体の端部に圧入されるなどして外側に嵌め込まれた状態で装着される。グリップは、弾性を有した樹脂材料から形成されており、例えば、塩化ビニル系樹脂や、ウレタン系樹脂、スチレン系樹脂、オレフィン系樹脂などが挙げられる。
【００２７】
図５に示すように、ハンドル部４４は、ペダル本体４２の踏み面と、ペダル軸４１の横断面中心とハンドル部４４の横断面中心とを結ぶ中心線４６とが略直交する位置に配置されている。また、支持体４３は、ペダル軸４１とハンドル部４４との中心を結ぶ中心線に対して左右対称となる形状を有している。これにより、ペダル本体４２、ハンドル部４４および支持体４３からなる連結体の重心がペダル軸４１の略鉛直下方に位置する状態で安定する。すなわち、ハンドル部４４がペダル軸４１の略鉛直方向に位置し、これに伴って、ペダル本体４２の踏み面が略水平方向に位置することになる。
【００２８】
以上説明したように、本実施の形態に係る運動器具用ペダルによると、ハンドル部４４をペダル本体４２に連結しているので、使用者が腕力を増強する場合に、ハンドル部４４を把持することにより、容易にペダルクランク３０を回転することができる。
【００２９】
また、ペダル本体４２、ハンドル部４４および支持体４３からなる連結体がハンドル部４４の重力の影響でペダル軸４１を中心として回転し、ペダル本体４２の踏み面が略水平方向に位置する。このため、使用者が脚力を増強するため、椅子に腰かけ、ペダル本体４２の踏み面に足を置く場合に、ペダル本体４２を回転する必要がない。よって脚力が衰え、足首を操作してペダル本体４２の踏み面を略水平に位置するように回転させることが困難な使用者であっても、容易に足を踏み面に載置することができる。
【００３０】
なお、本実施の形態では、支持体４３は、ペダル本体４２の本体２０側に設置したが、これに限らない。ペダル本体４２の踏み面と、ペダル軸４１とハンドル部４４との中心を結ぶ中心線とが略直交する位置にハンドル部４４を設置すればよく、支持体４３は、ペダル本体４２の下面のペダル軸４１の軸心方向の任意の位置に設けてもよい。また、ハンドル部４４がペダル本体４２よりも外方に突出するようにしてもよい。
【００３１】
以上、本考案の実施の形態に係る運動器具用ペダルについて説明したが、本考案は、この実施の形態に限定されるものではない。
【００３２】
例えば、以下のような変形例が考えられる。
【００３３】
（変形例１）
上述の実施の形態では、ペダル軸４１の軸心とハンドル部４４の軸心とを略平行に設置したが、ハンドル部４４の軸心をペダル軸４１の軸心に対して下方に傾斜させて設置してもよい。
【００３４】
図６は、変形例１に係る運動器具用ペダルを示す正面図である。
ペダル部５０は、ペダル軸４１と、ペダル軸４１に回転自在に連結するペダル本体４２と、支持体５３と、ハンドル部４４とを備える。
【００３５】
ハンドル部４４の軸心４４ａは、ペダル軸４１の軸心４１ａに対して傾斜しており、ハンドル部４４の軸心４４ａのペダル軸４１の軸心４１ａに対する傾斜は、ペダル軸４１とペダルクランク３０との連結部から遠ざかるほどペダル軸４１の軸心４１ａに対して遠ざかるように配置されている。
【００３６】
このような構成により、使用者がハンドル部４４を握るために手をペダル本体４２とハンドル部４４の間隙に手を挿入する場合に、最初に挿入する部分の間隙が大きくなるので容易に挿入することができる。また、ハンドル部４４を握る際に手の甲が水平方向になるように腕を内転する必要がなくなるので、腕に疾患のある使用者にとって容易にハンドル部４４を把持することができる。
【００３７】
（変形例２）
変形例２は、変形例１と同じペダル軸４１、ペダル本体４２および支持体４３を用いるものであるが、ハンドル部６１の形状が異なる。
【００３８】
図７は、変形例２に係る運動器具用ペダルを示す正面図である。
【００３９】
ペダル部６０は、ペダル軸４１と、ペダル軸４１に回転自在に連結するペダル本体４２と、支持体４３と、ハンドル部６１とを備える。
ハンドル部６１の外径がペダル軸４１とペダルクランク３０との連結部から遠ざかるほど拡大している。
【００４０】
このような構成により、ハンドル部６１の小指側のフィット感が増し、かつ握力の弱い使用者が使用しても手がハンドル部６１から抜けることがない。
【００４１】
（変形例３）
変形例３は、上述の実施の形態の運動器具用ペダルに固定手段を設けたものである。
【００４２】
図８は、変形例３に係る運動器具用ペダルを示す外観斜視図である。
【００４３】
ペダル部８０は、ペダル部４０と固定手段７０とを備えている。固定手段７０は、甲部固定用帯状体７１と踵部固定用帯状体７２から構成されており、甲部固定用帯状体７１は、１本の幅広帯状体の端部が２本の幅狭帯状体に分かれた構造をしている。踵部固定用帯状体７２は、一方の端部が甲部固定用帯状体７１に連結してあり、他方の端部は、甲部固定用帯状体７１の一方の幅狭帯状体に摺動可能に連結している。
【００４４】
また、甲部固定用帯状体７１の１本の幅広帯状体の端部裏面に取り付けられたマジックテープ（登録商標）と組になるようなマジックテープ（登録商標）を２本の幅狭帯状体の表面上に設けている。
【００４５】
次に、この固定手段７０の使用方法について説明する。
【００４６】
まず、２本の幅狭帯状体をペダル本体４２に形成されたペダル軸４１の軸方向に貫通する開口部４５にペダルクランク３０側から挿入し、固定手段７０をペダル本体４２に装着する。次に、足をペダル本体４２の踏み面に載置し、踵部固定用帯状体７２を踵部に当接する。次に、２本の幅狭帯状体を甲部に当接しながら幅狭帯状体の上に幅広帯状体を設置し、双方に取り付けられたマジックテープ（登録商標）により貼着する。これにより、足の甲部が甲部固定用帯状体７１により、踵部が踵部固定用帯状体７２により保持されるので、足裏がペダル本体４２の踏み面に接した状態で固定される。
【００４７】
このような構成により、脚力が衰えた使用者が、足でペダル本体４２の踏み面に荷重をかける際に、足を踏み面から踏み外すのを防止することができる。
【産業上の利用可能性】
【００４８】
本考案の運動器具用ペダルは、脚力や腕力の衰えた対象者のトレーニングまたは様々な機能回復を目的とした運動器具に適用できる。
【符号の説明】
【００４９】
１    運動器具
１０    基台
２０    本体
２１    カバー部
２２    クランク軸
３０    ペダルクランク                                                       
４０、５０、６０、８０    ペダル部
４１    ペダル軸
４１ａ、４４ａ    軸心
４２    ペダル本体
４３、５３    支持体
４４、６１    ハンドル部
４５    開口部
４６    中心線
７０    固定手段
７１    甲部固定用帯状体
７２    踵部固定用帯状体
【図１】
0003193454.tif 000003
【図２】
0003193454.tif 000004
【図３】
0003193454.tif 000005
【図４】
0003193454.tif 000006
【図５】
0003193454.tif 000007
【図６】
0003193454.tif 000008
【図７】
0003193454.tif 000009
【図８】
0003193454.tif 000010